(57)【特許請求の範囲】
【請求項１】
ＣＤ（コンパクトディスク）に記録された情報を再生するＣＤ再生手段と、記録可能型ディスクに情報を記録する記録手段と、ＣＤに記録されている情報をトラック単位で再生して記録可能型ディスクに記録するように制御する制御手段とを有する情報記録再生装置において、各トラックについて前記記録手段における記録開始からの記録時間を計測する計測手段と、ＣＤから再生された１トラックの情報が記録可能型ディスクの１トラックに記録された後に、該トラックについて前記計測手段が計測した記録時間とＣＤのＴＯＣ情報から得た録音時間とが一致しているか否かを判定する時間判定手段と、前記再生手段でＣＤから読み出されたトラックの番号が連続するか否かを判定する連続性判定手段とを備え、ＣＤに記録されている情報を再生して記録可能型ディスクに記録するに際して、前記制御手段は、前記時間判定手段が一致していると判定し、且つ前記連続性判定手段がトラック番号は連続していると判定した場合に、最後に再生と記録がされたトラックの次の番号のトラックを再生して記録するように制御し、それ以外の場合には、最後に再生と記録がされたトラックの先頭から再生と記録を再度行うように制御することを特徴とする情報記録再生装置。
【請求項２】
請求項１記載の情報記録再生装置において、同一のトラックについてＣＤからの再生と記録可能型ディスクへの記録とを繰り返す回数を所定回数で制限することを特徴とする情報記録再生装置。
【請求項３】
ＣＤ（コンパクトディスク）に記録された情報をトラック単位で再生して記録可能型ディスクに情報を記録する情報記録再生方法であって、各トラックについて記録開始からの記録時間を計測する計測ステップと、ＣＤから再生された１トラックの情報が記録可能型ディスクの１トラックに記録された後に、該トラックについて前記計測ステップにおいて計測した記録時間とＣＤのＴＯＣ情報から得た録音時間とが一致しているか否かを判定する時間判定ステップと、ＣＤから読み出されたトラックの番号が連続するか否かを判定する連続性判定ステップとを有し、ＣＤに記録されている情報を再生して記録可能型ディスクに記録するに際して、前記時間判定ステップで一致の判定が下され、且つ前記連続性判定ステップでトラック番号は連続していると判定された場合に、最後に再生と記録がされたトラックの次のトラックを再生して記録し、それ以外の場合には、最後に再生と記録がされたトラックの先頭から再生と記録を再度行うことを特徴とする情報記録再生方法。
【請求項４】
請求項３記載の情報記録再生方法において、同一のトラックについてＣＤからの再生と記録可能型ディスクへの記録とを繰り返す回数を所定回数で制限することを特徴とする情報記録再生方法。
【発明の詳細な説明】
【０００１】
【発明の属する技術分野】
本発明はコンパクトディスク（以下、ＣＤとも記す）に記録されている楽曲等の情報を再生してミニディスク（以下、ＭＤとも記す）やＣＤ−Ｒ等の記録可能型ディスクに記録する情報記録再生装置及び情報記録再生方法に関する。
【０００２】
【従来の技術】
以下に、従来の情報記録再生装置及び情報記録再生方法の概要について説明する。ＣＤに記録されている情報を再生してＭＤなどに記録する所謂ダビング機能を有する従来の情報記録再生装置では、一般的に、ＣＤに記録された情報を再生するＣＤ再生手段と、ＭＤに情報を記録するＭＤ記録手段と、前記ＣＤ再生手段及びＭＤ記録手段を制御するシステム制御手段とを備えて、ＣＤに記録されている情報を再生してＭＤに記録する。そして、ＣＤからＭＤへのダビングでは前記システム制御手段により、同期録音（シンクロ録音）が行われる。ＣＤからＭＤへのシンクロ録音については、特開平７−１１０９７８号公報などに開示されているので、ここでは説明を簡単にする。
【０００３】
図４は従来例の情報記録再生方法に係る一例を示すフローチャートであり、ＣＤからＭＤへ全トラックのダビングを行う場合のダビング処理を示す。
図４において、ユーザがダビングの開始を操作手段から指示すると、まずＣＤ再生手段とＭＤ記録手段の動作準備を行い（ステップＳ１１）、その準備が完了すると（ステップＳ１３）ステップＳ１５へ進む。ステップＳ１５では、システム制御手段からＣＤ再生手段とＭＤ記録手段とにダビング開始信号を送信し、ＣＤ再生手段はＣＤの再生を開始し、ＭＤ記録手段はＣＤから再生された情報の記録を開始する。
【０００４】
ステップＳ１９では再生側が停止しているかどうかを調べ、停止していればこの処理を終了し、停止していなければステップＳ２１ｂへ進む。ＣＤ再生手段の停止は、ユーザがダビングの中止指示を出したり、ＣＤ最外周部からのリードアウト信号を検出したときに行われる。ステップＳ２１ｂでは、記録側が停止しているかどうかを調べ、停止していればこの処理を終了し、停止していなければステップＳ１９へ進み、再生と記録が継続される。ＭＤ記録手段の停止は、ユーザがダビングの中止指示を出したり、ＣＤ最外周部からのリードアウト信号を検出して全トラックの記録が終了した時点、或いは記録媒体の記録容量の残りがなくなったとき等に行われる。こうしてＣＤからの再生とＭＤへの記録は、ＣＤの先頭のトラックから最後のトラックまでトラック番号順に行われる。
【０００５】
【発明が解決しようとする課題】
しかしながら、前記した従来の記録再生装置では、ダビングの途中にＣＤ再生手段側で何らかの異常が発生し、正常な再生が出来なくなったとしても、再生手段が停止しない限りＭＤ記録手段は記録を続けてしまい、正常なダビングが出来ない場合があった。例えば、ＣＤ再生手段が所謂針飛びを起こして一部を再生せずに再生動作を続けたり、或いは同一の記録領域を繰り返し再生したりしても、ＭＤ記録手段は再生側の事情に関係なく記録を行っていた。このためユーザは全トラックのダビングが終了するまで異常に気づかなかったり、或いはダビングの途中で異常に気づいたとしても、その異常なトラックのダビングを手動操作によりやり直さなければならなかった。
本発明は前記課題に鑑みてなされたものであり、その目的は、ダビングの途中で手動操作をすることなく、ＣＤから記録可能型ディスクへのダビングをエラーを少なくして自動的に行う情報記録再生装置及び情報記録再生方法を提供することである。
【０００６】
【説題を解決するための手段】
本発明は前記課題に鑑みてなされたものであり、第１の情報記録再生装置は、ＣＤ（コンパクトディスク）に記録された情報を再生するＣＤ再生手段と、記録可能型ディスクに情報を記録する記録手段と、ＣＤに記録されている情報をトラック単位で再生して記録可能型ディスクに記録するように制御する制御手段とを有する情報記録再生装置において、ＣＤから再生された１トラックの情報が記録可能型ディスクの１トラックに記録された後に該記録された記録可能型ディスクのトラックの時間情報が正しいか否かを判定する時間判定手段と、前記再生手段でＣＤから読み出されたトラックの番号が連続するか否かを判定する連続性判定手段とを備え、ＣＤに記録されている情報を再生して記録可能型ディスクに記録するに際して、前記制御手段は、前記時間判定手段が時間情報は正しいと判定し、且つ前記連続性判定手段がトラック番号は連続していると判定した場合に、最後に再生と記録がされたトラックの次のトラックを再生して記録するように制御し、それ以外の場合には、最後に再生と記録がされたトラックの先頭から再生と記録を再度行うように制御する情報記録再生装置である。
【０００７】
本発明の情報記録再生装置によれば、ＣＤに記録されている情報を再生して記録可能型ディスクに記録するに際して、トラック単位でダビング中に、記録した或るトラックの時間情報と、ＣＤから読み出されるトラック番号の連続性に基づいて、ダビングが正常に行われているか否かを自動的に判断し、最後に行ったトラックのダビングが正常に行われている場合には次のトラックのダビングを行い、最後に行ったトラックのダビングが正常に行われなかった場合には、そのトラックのダビングをやり直すようにして、ダビングの途中で手動操作を行うことなく、エラーの少ないダビングが自動的に行われる。
【０００８】
第２の発明は、第１の発明の情報記録再生装置において、同一のトラックについてＣＤからの再生と記録可能型ディスクへの記録とを繰り返す回数を所定回数で制限するようにした情報記録再生装置である。
【０００９】
本発明の情報記録再生装置によれば、前記記録可能型ディスクがＣＤ−Ｒの如き書き替え不可能な記録媒体である場合に、正常な記録をしようとして、正常な記録が出来なかったトラックの情報を前記記録可能型ディスクの新たな記録領域に繰り返し記録することによって、記録可能領域が極端に減少するのを防止することが出来る。
【００１０】
第３の発明は、ＣＤ（コンパクトディスク）に記録された情報をトラック単位で再生して記録可能型ディスクに情報を記録する情報記録再生方法であって、ＣＤから再生された１トラックの情報が記録可能型ディスクの１トラックに記録された後に該記録された記録可能型ディスクのトラックの時間情報が正しいか否かを判定する時間判定ステップと、ＣＤから読み出されたトラックの番号が連続するか否かを判定する連続性判定ステップとを有し、ＣＤに記録されている情報を再生して記録可能型ディスクに記録するに際して、前記時間判定ステップで時間情報は正しいと判定され、且つ前記連続性判定ステップでトラック番号は連続していると判定された場合に、最後に再生と記録がされたトラックの次のトラックを再生して記録し、それ以外の場合には、最後に再生と記録がされたトラックの先頭から再生と記録を再度行うようにした情報記録再生方法である。
【００１１】
第４の発明は、第３の発明の情報記録再生方法において、同一のトラックについてＣＤからの再生と記録可能型ディスクへの記録とを繰り返す回数を所定回数で制限するようにした情報記録再生方法である。
【００１２】
【発明の実施の形態】
以下、本発明の実施の形態について説明する。本発明の情報記録再生装置及び情報記録再生方法では、ＣＤに記録された情報をトラック単位で再生して記録可能型ディスクに情報を記録するに際して、トラック番号ＫのトラックをＣＤから再生して記録可能型ディスクに記録し、その後トラック番号Ｋ＋１のトラックをＣＤから再生してダビングを行う前に、ＣＤトラック番号Ｋの情報を記録した記録可能型ディスクのトラックの時間情報が正しいか否かを判断し、ＣＤから読み出されるトラックの番号が連続するか否かを判断して、前記時間情報が正しいと判断され、且つ前記トラック番号が連続していると判断された場合にのみ、ＣＤトラック番号Ｋのトラックの再生と記録が正常に行われたと判断してＣＤトラック番号Ｋ＋１のトラックのダビングに移り、それ以外の場合には、ＣＤトラック番号Ｋのトラックの記録が正常に行われなかった判断して、ＣＤトラック番号Ｋのトラックの先頭から再生と記録を再度行うようにして、ダビングの途中で手動操作をすることなく、エラーの少ないダビングが自動的に行われる。
なお、ＣＤからのＭＤへのダビングでは、ＣＤとＭＤでのトラック番号は同一にされる場合が多いが、同一でない場合にも本発明を適用することが出来る。また、本明細書で言うトラック番号は、記録されている楽曲や、楽章などの単位で付されるものである。
【００１３】
以下、本発明の一実施例について、図と共に説明する。図１は本発明情報記録再生装置の一実施例を示すブロック図である。
図１において、情報記録再生装置１０はＣＤ（コンパクトディスク）に記録された情報を再生するＣＤ再生手段１１と、ＭＤ（ミニディスク）に情報を記録するＭＤ記録手段と、ＣＤに記録されている情報をトラック単位で再生してＭＤに同期記録（シンクロ記録）するように制御するシステム制御手段１３と、情報記録再生装置１０をユーザが操作するための操作手段１７とからなる。
【００１４】
システム制御手段１３は、ＣＤから再生された１トラックの情報がＭＤに記録された後に該記録された記録可能型ディスクのトラックの時間情報が正しいか否かを判定する時間判定手段２１と、前記再生手段でＣＤから読み出されたトラックの番号が連続するか否かを判定する連続性判定手段２３とを備える。システム制御手段１３は情報記録再生装置全体を制御するＭＰＵ（マイクロプロセッサ）とメモリを備え、操作手段１７は前記ＭＰＵに接続される。また、前記時間判定手段２１と連続性判定手段２３は、実際には前記ＭＰＵ等で構成される。
【００１５】
ダビングの開始や終了を示すコマンドや、シンクロ信号、リセット信号、再生或いは記録するトラックの番号などの制御信号が、システム制御手段１３からＣＤ再生手段１１へＣＤ制御信号として与えられ、システム制御手段１３からＭＤ記録手段１５へＭＤ制御信号として与えられる。ＣＤがＣＤ再生手段１１にセットされると該ＣＤのＴＯＣ（Table of Contents）情報が読み出されてシステム制御手段１３に送られ、メモリに格納される。前記ＴＯＣの情報には各トラックの名称（楽曲名）や時間情報が含まれており、トラック番号ごとに経過時間、トラックが始まる絶対時間等が記載されていて、ＣＤにおける各トラックの録音時間は前記時間情報から容易に算出される。ＣＤ再生中にはＣＤから読み出されるサブコードＱの情報（Ｑチャンネルサブコード情報）がシステム制御手段１３に送信される。
【００１６】
前記Ｑチャンネルサブコード情報には、再生中のトラックのトラック番号（ＣＤトラック番号）と、再生時点のトラック内経過時間、絶対時間などが記載されている。ＭＤ記録手段１５からはＭＤデータ（MD Data）がシステム制御手段１３に与えられる。前記ＭＤ制御信号は、シンクロ信号、リセット信号、現在のトラック番号（ＭＤトラック番号）、時間情報の種類、ＭＤ制御用のコマンドなどを含む。前記ＭＤデータは、ＭＤ記録手段１５の動作状態を示す信号、記録開始や終了などの時間情報、時間情報の種類（例えば、トラックの記録時間、ＭＤに記録可能な残り時間など）を示すデータ、現在のトラック番号（ＭＤトラック番号）、現時点でＭＤに記録されている総トラック数などを含む。システム制御手段１３は、前記したＣＤ制御信号、サブコードデータ、ＭＤ制御信号、ＭＤデータを基にして、ＣＤ再生手段１１から読み出された情報をＭＤ記録手段１５でシンクロ録音するように、ＣＤ再生手段１１とＭＤ記録手段１５とを制御する。
【００１７】
図２は本発明情報記録再生方法に係る第１実施例を示すフローチャートであり、ＣＤからＭＤへダビングする場合の例である。この第１実施例の情報記録再生方法及び後述する第２実施例の情報記録再生方法は、図１に示す情報記録再生装置１０に適用される。
図２において図４に示す従来例と同一のステップには同一の符号を付す。図２のステップＳ１１からステップＳ１７は図４と同一であるからその説明を省略する。
図２において、ステップＳ１７ではダビング中のＣＤのトラック番号（ＴＮＯ）と当該トラックの録音時間（シングルタイム）を得、当該トラックの情報をＭＤに記録する際の記録時間を計測するタイマをリセットしてステップＳ１９へ進む。ステップＳ１７において、ＣＤトラック番号はＣＤから読み出されたＱチャンネルサブコード情報から得られ、シングルタイムはシステム制御手段１３のメモリに格納されているＴＯＣ情報から得られる。
【００１８】
ステップＳ１９では再生側が停止しているかどうかを調べ、停止していればこの処理を終了し、停止していなければステップＳ２１へ進む。ＣＤ再生手段１１の停止は、ユーザがダビングの中止指示を出したり、ＣＤ最外周部からのリードアウト信号を検出したときに行われる。ステップＳ２１では記録側が停止しているかどうかを調べ、停止していればこの処理を終了し、停止していなければステップＳ２３へ進む。ＭＤ記録手段１５の停止は、ユーザがダビングの中止指示を出したり、記録領域の残りがなくなった時点で行われる。ステップＳ２３では、ＭＤ記録手段１５での当該ＭＤトラックの記録時間を計測しステップＳ２５へ進む。
【００１９】
ステップＳ２５ではＣＤのＱチャンネルデータから読み出されたＴＮＯが変化したか？を問い、ＹｅｓであればステップＳ２７へ進み、ＮｏであればステップＳ１９へ進んで、当該トラックの読み出しと記録を継続する。ステップＳ２７では、ＣＤから読み出された新たなトラック番号は正常か？を問い、前記ＣＤから読み出された新たなトラック番号が、最後に情報を記録したＣＤトラックの番号に連続していればＹｅｓでステップＳ２９へ進み、連続していなければＮｏでステップＳ３３へ進む。ステップＳ２９では、ステップＳ２３で計測した当該トラックの記録時間と、ＣＤのＴＯＣ情報から得たシングルタイムとが一致するか？、を問い、一致すればＹｅｓでステップＳ３７へ進み、一致しなければＮｏでステップＳ３３へ進む。
【００２０】
ステップＳ３３では、ＣＤトラック番号を最後に記録したＣＤトラックの番号、例えばＫに戻し、ＭＤトラック番号を最後に記録したＭＤトラックの番号、例えばＫに戻し、トラック番号Ｋのリトライ指示信号を送信する。すなわちＣＤトラック番号Ｋのトラックの情報を再度ＣＤから読み出し、ＭＤトラック番号Ｋの情報としてＭＤに記録し直すよう、ＣＤ再生手段１１とＭＤ記録手段１５とに制御信号を送信する。ステップＳ３７では、新たなトラックのダビング、又は前のトラックのダビングのやり直しの準備をするための一時停止をし、ステップＳ１５へ進む。ステップＳ１５ではトラック番号Ｋ＋１のトラックのダビングを開始するか、或いはトラック番号Ｋのトラックの最初からダビングのやり直しを行う。
【００２１】
図３は本発明情報記録再生方法に係る第２実施例を示すフローチャートであり、ＣＤからＣＤ−Ｒへダビングする場合の例である。
図３において図２に示す第１実施例と同一のステップには同一の符号を付す。図３ではまず、繰り返しのカウント数Ｒを０にセットする。それ以外はステップＳ１１からステップＳ２５まで図２と同じであるからその説明を省略する。
図３において、ステップＳ２７では、ＣＤから読み出された新たなトラック番号は正常か？を問い、前記ＣＤから読み出された新たなトラック番号が最後に記録したＣＤトラックの番号に連続していればＹｅｓでステップＳ２９へ進み、連続していなければＮｏでＲ値をインクリメントしてステップＳ３１へ進む。ステップＳ２９では、ステップＳ２３で計測した当該ＣＤ−Ｒトラックの記録時間と、ＣＤのＴＯＣ情報から得たシングルタイムとが一致するか？、を問い、一致すればＹｅｓでステップＳ３５へ進み、一致しなければＮｏでＲ値をインクリメントしてステップＳ３１へ進む。
【００２２】
ステップＳ３１では、Ｒ＝２か？、と問い、ＹｅｓであればステップＳ３５へ進み、ＮｏであればステップＳ３３へ進む。ステップＳ３３では、ＣＤのＴＮＯを最後に記録したＣＤトラックの番号、例えばＫに戻し、ＣＤ−ＲのＴＮＯも最後に記録したＣＤ−Ｒトラックの番号、例えばＫに戻し、トラック番号Ｋのリトライ指示信号を送信する。すなわちＣＤトラック番号Ｋのトラックの情報を再度ＣＤから読み出し、ＣＤ−Ｒのトラック番号Ｋの情報としてＣＤ−Ｒに記録し直すよう、ＣＤ再生手段１１とＣＤ−Ｒ記録手段とに制御信号を送信する。ステップＳ３５では、ＴＮＯを次の動作に備えて正しくセットして、ステップＳ３９へ進む、すなわち最後にダビングしたトラックの番号が、ＣＤトラック番号、ＣＤ−Ｒトラック番号ともＫであったとすると、ＣＤトラック番号及びＣＤ−Ｒトラック番号をＫ＋１にし、繰り返し数Ｒを０にしてステップＳ３９へ進む。
【００２３】
ステップＳ３９では、ＣＤ−Ｒの記録領域が残っているか？、を調べ、ＣＤトラック番号Ｋ＋１のトラックの情報を記録する記録容量が残っていればステップＳ１５へ進み、残っていなければこのフローを終了する。
前記第２実施例では、記録媒体がＣＤ−Ｒであるから、一度記録したところには上書き記録することが不可能であり、正常な記録が出来るまで何回も記録を試みると、それだけ記録容量が減ってしまうことになるから、繰り返しの回数を予め定めた所定の回数で制限し、もしも、ダビングの途中で記録容量が次のトラックを記録するに不足するまでになった場合は、その時点でダビングを終了するようにしている。図３に示す例では、或るトラックのダビングが１回で正常に出来なかった場合に、同一のトラックについて記録を２回試みても正常に出来なかった場合は、次のトラックのダビングへ移行するようにしている。
【００２４】
以上詳述したように、本発明の情報記録再生装置や情報記録再生方法によれば、
ＣＤに記録されている情報を再生して記録可能型ディスクに記録するに際して、トラック単位でダビング中に、記録した或るＭＤのトラックの時間情報と、ＣＤから読み出されるトラック番号の連続性に基づいて、ダビングが正常に行われているか否かを自動的に判定し、正常に行われている場合には次のトラックのダビングを行い、正常に行われていない場合は最後に記録したトラックのダビングをやり直すようにして、ダビングの途中で手動操作を行うことなく、エラーの少ないダビングが自動的に行われる。
【図面の簡単な説明】
【図１】本発明情報記録再生装置の一実施例を示すブロック図である。
【図２】本発明情報記録再生方法に係る第１実施例を示すフローチャートである。
【図３】本発明情報記録再生方法に係る第２実施例を示すフローチャートである。
【図４】従来例の情報記録再生方法に係る一例を示すフローチャートである。
【符号の説明】
１１    ＣＤ再生手段
１３    システム制御手段（制御手段）
１５    ＭＤ記録手段
１７    操作手段
２１    時間判定手段
２３    連続性判定手段
【図１】
0003830077.tif 000002
【図２】
0003830077.tif 000003
【図３】
0003830077.tif 000004
【図４】
0003830077.tif 000005